(57)【要約】      （修正有）【課題】ボトルから飲用する時に、口唇にネジが接触しない滑らかな飲み口と、唾液が溜らない衛生的な飲み口の飲料ボトルを提供する。【解決手段】飲料ボトル１の首のネジ部２の先端に、飲み口適宜高さで５〜１５ミリメートル見当の、ネジのない直筒部３を延伸形成し、ネジのない直筒部をボトルの首のネジ部先端に延伸して一体成型して飲み口にネジのない飲料ボトルを形成する。あるいは、ネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成しても良い。【選択図】図１
0003179813.tif 000002
【実用新案登録請求の範囲】
【請求項１】
飲料ボトルの首のネジ部先端に、飲み口適宜高さで５〜１５ミリメートル見当の、ネジのない直筒部を延伸して一体成型した、飲み口にネジのない、プラスチック、金属等の飲料ボトル。
【考案の詳細な説明】
【技術分野】
【０００１】  本考案は、飲料ボトルの飲み口形状に関するものである。
【背景技術】
【０００２】  従来の飲料ボトルは、首のネジ部がそのまま飲み口になっているために、ボトルから飲用する時にネジが口唇に接触して滑らかさに欠け、さらに飲み口のネジ溝には唾液が溜り易く、高温多湿の真夏日に熱中症予防のため一日に複数回に分けてボトルから飲用すると、ネジ溝に溜った唾液で雑菌が発生しやすくなって不衛生になる恐れがあった。
【考案の開示】
【考案が解決しようとする課題】
【０００３】  本考案は、ボトルから飲用する時に、口唇にネジが接触しない滑らかな飲み口と、唾液が溜らない衛生的な飲み口の飲料ボトルを提供しようとするものである。
【課題を解決するための手段】
【０００４】  この課題を解決するために本考案は、飲料ボトルの首のネジ部先端に、飲み口適宜高さで５〜１５ミリメートル見当の、ネジのない直筒部を延伸して一体成型した、飲み口にネジのない飲料ボトルを提供する。
【考案の効果】
【０００５】  ネジのない直筒飲み口の飲料ボトルは、ボトルから飲用する時に口唇にネジが接触しない滑らかな飲み口になる。また、ネジのない直筒飲み口は唾液が溜らないので雑菌の発生を抑えることができ、飲み口も容易に拭き取れるので、衛生的な飲料ボトルになる。
【考案を実施するための形態】
【０００６】  以下、添付図面に従って本考案の実施例を説明する。
【図面の簡単な説明】
【図１】  本考案の正面図である
【図２】  本考案の、蓋を締めた実施例を示す正面の部分縦断面図である
【符号の説明】  １  飲料ボトル
２  首のネジ部
３  首のネジ部先端に延伸して一体成型したネジのない直筒部
４  蓋
【図１】
0003179813.tif 000003
【図２】
0003179813.tif 000004
【手続補正書】
【提出日】平成24年7月20日(2012.7.20)
【手続補正１】
【補正対象書類名】実用新案登録請求の範囲
【補正対象項目名】請求項２
【補正方法】追加
【補正の内容】
【請求項２】
請求項１記載の、ボトルの首のネジ部先端に延伸して一体成型したネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成した、飲み口にネジのない、プラスチック、金属等の飲料ボトル。
【手続補正２】
【補正対象書類名】明細書
【補正対象項目名】考案の開示
【補正方法】変更
【補正の内容】
【考案の詳細な説明】
【考案の開示】
【課題を解決するための手段】
【０００４】
この課題を解決するために、本考案は飲み口適宜高さで５〜１５ミリメートル見当の、ネジのない直筒部を飲料ボトルの首のネジ部先端に延伸形成した飲料ボトルで、ネジのない直筒部をボトルの首のネジ部先端に延伸して一体成型した、もしくはネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成した、飲み口にネジのない飲料ボトルを提供する。
【手続補正３】
【補正対象書類名】明細書
【補正対象項目名】考案を実施するための形態
【補正方法】変更
【補正の内容】
【考案の詳細な説明】
【考案を実施するための形態】
【０００６】
以下、添付図面に従って本考案の第１の実施例を説明する。
【図面の簡単な説明】
【図１】ボトルの首のネジ部先端にネジのない直筒部を延伸して一体成型した、本考案の正面図である
【図２】ボトルの首のネジ部先端にネジのない直筒部を延伸して一体成型した、蓋を締めた実施例を示す本考案の正面の部分縦断面図である
【手続補正４】
【補正対象書類名】明細書
【補正対象項目名】考案を実施するための形態
【補正方法】追加
【補正の内容】
【考案の詳細な説明】
【考案を実施するための形態】
【０００７】
以下、添付図面に従って本考案の第２の実施例を説明する。
【図面の簡単な説明】
【図３】ネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成した、本考案の正面図である。
【図４】ネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成した、蓋を締めた実施例を示す本考案の正面の部分縦断面図である。
【符号の説明】
１飲料ボトル
２首のネジ部
３首筒
４首筒を下部に一体成型して別部品にした、ネジのない直筒部
５蓋
【手続補正６】
【補正対象書類名】図面
【補正対象項目名】図３
【補正方法】追加
【補正の内容】
【図３】
0003179813.tif 000005
【手続補正７】
【補正対象書類名】図面
【補正対象項目名】図４
【補正方法】追加
【補正の内容】
【図４】
0003179813.tif 000006
【手続補正書】
【提出日】平成24年9月27日(2012.9.27)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
飲料ボトルの首のネジ部先端に、飲み口適宜高さで５〜１５ミリメートル見当の、ネジのない直筒部を延伸して一体成型した、飲み口にネジのない、プラスチック、金属等の飲料ボトル。
【請求項２】
請求項１記載の、ボトルの首のネジ部先端に延伸して一体成型したネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成した、飲み口にネジのない、プラスチック、金属等の飲料ボトル。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本考案は、飲料ボトルの飲み口形状に関するものである。
【背景技術】
【０００２】  従来の飲料ボトルは、首のネジ部がそのまま飲み口になっているために、ボトルから飲用する時にネジが口唇に接触して滑らかさに欠け、さらに飲み口のネジ溝には唾液が溜り易く、高温多湿の真夏日に熱中症予防のため一日に複数回に分けてボトルから飲用すると、ネジ溝に溜った唾液で雑菌が発生しやすくなって不衛生になる恐れがあった。
【考案の開示】
【考案が解決しようとする課題】
【０００３】  本考案は、ボトルから飲用する時に、口唇にネジが接触しない滑らかな飲み口と、唾液が溜らない衛生的な飲み口の飲料ボトルを提供しようとするものである。
【課題を解決するための手段】
【０００４】  この課題を解決するために、本考案は飲み口適宜高さで５〜１５ミリメートル見当の、ネジのない直筒部を飲料ボトルの首のネジ部先端に延伸形成した飲料ボトルで、ネジのない直筒部をボトルの首のネジ部先端に延伸して一体成型した、もしくはネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成した、飲み口にネジのない飲料ボトルを提供する。
【考案の効果】
【０００５】  ネジのない直筒飲み口の飲料ボトルは、ボトルから飲用する時に口唇にネジが接触しない滑らかな飲み口になる。また、ネジのない直筒飲み口は唾液が溜らないので雑菌の発生を抑えることができ、飲み口も容易に拭き取れるので、衛生的な飲料ボトルになる。
【考案を実施するための形態】
【０００６】  以下、添付図面に従って本考案の第１の実施例を説明する。
【図面の簡単な説明】
【０００７】
【図１】ボトルの首のネジ部先端にネジのない直筒部を延伸して一体成型した、本考案の正面図である
【図２】ボトルの首のネジ部先端にネジのない直筒部を延伸して一体成型した、蓋を締めた実施例を示す本考案の正面の部分縦断面図である  以下、添付図面に従って本考案の第２の実施例を説明する。
【図３】ネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成した、本考案の正面図である。
【図４】ネジのない直筒部を、ボトルの首内に嵌入する首筒を下部に一体成型した別部品にしてボトルの首のネジ部先端に嵌入固定し、ボトルの首のネジ部先端にネジのない直筒部を延伸形成した、蓋を締めた実施例を示す本考案の正面の部分縦断面図である。
【符号の説明】
【０００８】［図１］［図２］の符号の説明
１  飲料ボトル
２  首のネジ部
３  首のネジ部先端に延伸して一体成型したネジのない直筒部
４  蓋
［図３］［図４］の符号の説明
１  飲料ボトル
２  首のネジ部
３  首筒
４  首筒を下部に一体成型して別部品にした、ネジのない直筒部
５  蓋
【手続補正３】
【補正対象書類名】手続補正書
【補正対象項目名】手続補正３
【補正方法】削除
【補正の内容】
【手続補正４】
【補正対象書類名】手続補正書
【補正対象項目名】手続補正４
【補正方法】削除
【補正の内容】